【手続補正書】
【提出日】平成18年7月25日(2006.7.25)
【手続補正１】
【補正対象書類名】特許請求の範囲
【補正対象項目名】全文
【補正方法】変更
【補正の内容】
【特許請求の範囲】
【請求項１】
符号化データの送受信処理を実行する通信処理装置であり、
送信データの符号化処理を実行する送信データ処理部と、
受信データの復号化処理を実行する受信データ処理部と、
送信データまたは受信データの少なくともいずれかの通信データを監視し、監視結果に基づいて通信データの処理態様の変更設定指示コマンドを出力する通信データ監視部と、
前記通信データ監視部からのコマンドを入力し、送信データまたは受信データの少なくともいずれかのデータ処理態様を変更するデータ処理制御部と、
を有することを特徴とする通信処理装置。
【請求項２】
前記通信データ監視部は、複数の異なる受信データの監視処理を実行し、予め設定されたモードに応じて、一方の受信データを優先処理データとして、その受信を検出し、該優先処理データの受信検出を条件として、非優先処理データの簡易処理実行設定コマンドを前記データ処理制御部に出力する構成であることを特徴とする請求項１に記載の通信処理装置。
【請求項３】
前記通信データ監視部は、複数の異なる通信データとして、他の通信端末とのコミュニケーションデータと、サーバからの受信データとしてのマルチメディアコンテンツデータの複数の通信における複数の受信データの監視処理を実行し、予め設定されたモードに応じて、コミュニケーションデータまたはマルチメディアコンテンツデータのいずれか一方のデータを優先処理データとして、その受信を検出し、該優先処理データの受信検出を条件として、非優先処理データの簡易処理実行設定コマンドを前記データ処理制御部に出力する構成であることを特徴とする請求項１に記載の通信処理装置。
【請求項４】
前記データ処理制御部は、
前記通信データ監視部から、前記簡易処理実行設定コマンドを入力し、非優先処理データに対する簡易処理として、通信処理装置内のリソースの抑制使用によるデータ処理を実行させる制御を行う構成であることを特徴とする請求項２または３に記載の通信処理装置。
【請求項５】
前記リソースは、通信処理装置内のＣＰＵまたはメモリの少なくともいずれかを含むものであることを特徴とする請求項４に記載の通信処理装置。
【請求項６】
前記データ処理制御部は、
前記通信データ監視部から、前記簡易処理実行設定コマンドを入力し、非優先処理データに対する簡易処理として、送信データの符号化ビットレートを低減した送信パケットの生成処理を実行させる制御を行う構成であることを特徴とする請求項２または３に記載の通信処理装置。
【請求項７】
前記データ処理制御部は、
前記通信データ監視部から、前記簡易処理実行設定コマンドを入力し、非優先処理データに対する簡易処理として、データ送信元に対して、送信データの符号化ビットレートを低減させるためのコマンド格納パケットの送信処理を実行させる制御を行う構成であることを特徴とする請求項２または３に記載の通信処理装置。
【請求項８】
前記通信処理装置は、さらに、前記送信データ処理部および受信データ処理部において処理されるコミュニケーションデータの有無を判定するコミュニケーションデータ有無判断部を有し、
前記通信データ監視部は、
前記コミュニケーションデータ有無判断部におけるコミュニケーションデータ有りの判断情報に基づいて、コミュニケーションデータの優先処理を実行するコミュニケーション優先モードの設定に基づく処理を実行し、
前記コミュニケーションデータ有無判断部におけるコミュニケーションデータなしの判断情報に基づいて、マルチメディアコンテンツデータの優先処理を実行するマルチメディアコンテンツデータ優先モードの設定に基づく処理を実行する構成であることを特徴とする請求項３に記載の通信処理装置。
【請求項９】
前記通信データ監視部は、優先処理データの受信検出を、受信パケットの設定情報であるペイロード情報としてのデータタイプまたはアドレス情報に基づいて実行する構成であることを特徴とする請求項２または３に記載の通信処理装置。
【請求項１０】
前記通信データ監視部は、他の通信端末とのコミュニケーションデータとして送受信する送信データおよび受信データの監視処理を実行し、予め設定されたモードに応じて、コミュニケーションデータまたは、通信処理装置から送信するデータファイルのいずれか一方のデータを優先処理データとして設定するとともに、予め定められた条件を満足する優先処理データの検出を条件として、非優先処理データの簡易処理実行設定コマンドを前記データ処理制御部に出力する構成であることを特徴とする請求項１に記載の通信処理装置。
【請求項１１】
前記通信データ監視部は、コミュニケーションデータ優先モードにおいて、コミュニケーションデータの音声パワー検出処理を実行し、該音声パワーが予め定められた閾値以上である場合に、非優先処理データであるデータファイルの簡易処理実行設定コマンドを前記データ処理制御部に出力する構成であることを特徴とする請求項１０に記載の通信処理装置。
【請求項１２】
前記データ処理制御部は、
前記通信データ監視部から、前記簡易処理実行設定コマンドを入力し、非優先処理データに対する簡易処理として、非優先処理データであるデータファイルの送信データのパケットサイズを削減した送信パケット生成処理を実行させる制御を行う構成であることを特徴とする請求項１０に記載の通信処理装置。
【請求項１３】
符号化データの送受信処理における通信データの制御を実行する通信処理方法であり、
送信データの符号化処理を実行する送信データ処理ステップと、
受信データの復号化処理を実行する受信データ処理ステップと、
送信データまたは受信データの少なくともいずれかの通信データを監視し、監視結果に基づいて通信データの処理態様の変更設定指示コマンドをデータ処理制御部に出力する通信データ監視ステップと、
前記通信データ監視ステップにおいて出力するコマンドを入力し、送信データまたは受信データの少なくともいずれかのデータ処理態様を変更するデータ処理制御ステップと、
を有することを特徴とする通信処理方法。
【請求項１４】
前記通信データ監視ステップは、複数の異なる受信データの監視処理を実行し、予め設定されたモードに応じて、一方の受信データを優先処理データとして、その受信を検出し、該優先処理データの受信検出を条件として、非優先処理データの簡易処理実行設定コマンドを前記データ処理制御部に出力することを特徴とする請求項１３に記載の通信処理方法。
【請求項１５】
前記通信データ監視ステップは、複数の異なる通信データとして、他の通信端末とのコミュニケーションデータと、サーバからの受信データとしてのマルチメディアコンテンツデータの複数の通信における複数の受信データの監視処理を実行し、予め設定されたモードに応じて、コミュニケーションデータまたはマルチメディアコンテンツデータのいずれか一方のデータを優先処理データとして、その受信を検出し、該優先処理データの受信検出を条件として、非優先処理データの簡易処理実行設定コマンドをデータ処理制御部に出力することを特徴とする請求項１３に記載の通信処理方法。
【請求項１６】
前記データ処理制御ステップは、
前記簡易処理実行設定コマンドを入力し、非優先処理データに対する簡易処理として、通信処理装置内のリソースの抑制使用によるデータ処理を実行させる制御を行うステップであることを特徴とする請求項１４または１５に記載の通信処理方法。
【請求項１７】
前記リソースは、通信処理装置内のＣＰＵまたはメモリの少なくともいずれかを含むものであることを特徴とする請求項１６に記載の通信処理方法。
【請求項１８】
前記データ処理制御ステップは、
前記簡易処理実行設定コマンドを入力し、非優先処理データに対する簡易処理として、送信データの符号化ビットレートを低減した送信パケットの生成処理を実行させる制御を行うステップであることを特徴とする請求項１４または１５に記載の通信処理方法。
【請求項１９】
前記データ処理制御ステップは、
前記簡易処理実行設定コマンドを入力し、非優先処理データに対する簡易処理として、データ送信元に対して、送信データの符号化ビットレートを低減させるためのコマンド格納パケットの送信処理を実行させる制御を行うステップであることを特徴とする請求項１４または１５に記載の通信処理方法。
【請求項２０】
前記通信処理方法は、さらに、前記送信データ処理ステップおよび受信データ処理ステップにおいて処理されるコミュニケーションデータの有無を判定するコミュニケーションデータ有無判断ステップを有し、
前記通信データ監視ステップは、
前記コミュニケーションデータ有無判断ステップにおいて生成されるコミュニケーションデータ有りの判断情報に基づいて、コミュニケーションデータの優先処理を実行するコミュニケーション優先モードの設定に基づく処理を実行し、
前記コミュニケーションデータ有無判断部におけるコミュニケーションデータなしの判断情報に基づいて、マルチメディアコンテンツデータの優先処理を実行するマルチメディアコンテンツデータ優先モードの設定に基づく処理を実行することを特徴とする請求項１５に記載の通信処理方法。
【請求項２１】
前記通信データ監視ステップは、
優先処理データの受信検出を、受信パケットの設定情報であるペイロード情報としてのデータタイプまたはアドレス情報に基づいて実行することを特徴とする請求項１４または１５に記載の通信処理方法。
【請求項２２】
前記通信データ監視ステップは、
他の通信端末とのコミュニケーションデータとして送受信する送信データおよび受信データの監視処理を実行し、予め設定されたモードに応じて、コミュニケーションデータまたは、通信処理装置から送信するデータファイルのいずれか一方のデータを優先処理データとして設定するとともに、予め定められた条件を満足する優先処理データの検出を条件として、非優先処理データの簡易処理実行設定コマンドを前記データ処理制御部に出力することを特徴とする請求項１３に記載の通信処理方法。
【請求項２３】
前記通信データ監視ステップは、
コミュニケーションデータ優先モードにおいて、コミュニケーションデータの音声パワー検出処理を実行し、該音声パワーが予め定められた閾値以上である場合に、非優先処理データであるデータファイルの簡易処理実行設定コマンドを前記データ処理制御部に出力することを特徴とする請求項２２に記載の通信処理方法。
【請求項２４】
前記データ処理制御ステップは、
前記簡易処理実行設定コマンドを入力し、非優先処理データに対する簡易処理として、非優先処理データであるデータファイルの送信データのパケットサイズを削減した送信パケット生成処理を実行させる制御を行うステップであることを特徴とする請求項２２に記載の通信処理方法。
【請求項２５】
通信処理装置において、符号化データの送受信処理における通信データの制御を実行させるコンピュータ・プログラムであり、
送信データ処理部に、送信データの符号化処理を実行させる送信データ処理ステップと、
受信データ処理部に、受信データの復号化処理を実行させる受信データ処理ステップと、
通信データ監視部に、送信データまたは受信データの少なくともいずれかの通信データを監視させて、監視結果に基づいて通信データの処理態様の変更設定指示コマンドをデータ処理制御部に出力させる通信データ監視ステップと、
データ処理制御部に、前記通信データ監視ステップにおいて出力するコマンドを入力させて、送信データまたは受信データの少なくともいずれかのデータ処理態様を変更させるデータ処理制御ステップと、
を実行させることを特徴とするコンピュータ・プログラム。
【手続補正２】
【補正対象書類名】明細書
【補正対象項目名】００４７
【補正方法】変更
【補正の内容】
【００４７】
さらに、本発明の第３の側面は、
通信処理装置において、符号化データの送受信処理における通信データの制御を実行させるコンピュータ・プログラムであり、
送信データ処理部に、送信データの符号化処理を実行させる送信データ処理ステップと、
受信データ処理部に、受信データの復号化処理を実行させる受信データ処理ステップと、
通信データ監視部に、送信データまたは受信データの少なくともいずれかの通信データを監視させて、監視結果に基づいて通信データの処理態様の変更設定指示コマンドをデータ処理制御部に出力させる通信データ監視ステップと、
データ処理制御部に、前記通信データ監視ステップにおいて出力するコマンドを入力させて、送信データまたは受信データの少なくともいずれかのデータ処理態様を変更させるデータ処理制御ステップと、
を実行させることを特徴とするコンピュータ・プログラムにある。